(57)【要約】【課題】徐々に傾けるという手間が掛からず、表裏のフィルムが接して流れなくなってしまうことのない詰め替え用包装袋を提供する。【解決手段】注出路５が左右中央から上方に向かって突き出した詰め替え用包装袋１００であって、胴部１と、胴部の上端に接続する肩部２と、肩部の上端に接続し注出路を有する口頚部３とからなり、左右のシール部の内縁が、口頚部では略垂直で、肩部では胴部との屈曲点ａで内方に向けて傾斜し、更に、中間の屈曲点ｂで傾斜が口頚部の傾斜に近づくように傾斜している。【選択図】図１
2016108037.tif 000002
【特許請求の範囲】
【請求項１】
注出路が左右中央から上方に向かって突き出した詰め替え用包装袋であって、
胴部と、前記胴部の上端に接続する肩部と、前記肩部の上端に接続し前記注出路を有する口頚部とからなり、
左右のシール部の内縁が、
前記口頚部では略垂直で、前記肩部では前記胴部との屈曲点で内方に向けて傾斜し、更に、１以上の中間の屈曲点で傾斜が前記口頚部の傾斜に近づくように傾斜していることを特徴とする詰め替え用包装袋。
【請求項２】
前記肩部の中間の屈曲点が複数あり、徐々に前記口頚部の傾斜に近づくように傾斜していることを特徴とする請求項１に記載の詰め替え用包装袋。
【請求項３】
前記胴部の直後の前記肩部の左右のシール部の内縁の延長線が交わる交点より下方に、次の屈曲点が設けられ、該屈曲点で前記口頚部の傾斜に近づくように傾斜していて、
前記口頚部の手前の前記肩部の左右のシール部の内縁の延長線が交わる交点が、前記口頚部に設けられた注出口より上に位置していることを特徴とする請求項１または２に記載の詰め替え用包装袋。
【発明の詳細な説明】
【技術分野】
【０００１】
本発明は、詰め替え用包装袋に関するものである。すなわち、繰り返し使用するボトルなどの容器に詰め替える内容物が充填され、詰め替えやすいように注出路を設けた詰め替え用包装袋に関するものである。
【背景技術】
【０００２】
シャンプー、リンス、パーマ液、ヘアカラー液、液体洗濯用洗剤、柔軟剤等の液体の製品を収納する容器は、従来、プラスチックボトルが多く用いられてきた。そして、近年、これらのプラスチックボトルへの詰め替え用として、詰め替え用包装袋入りのこれら液体製品が、商店の棚を広く占めるようになって来た。
【０００３】
そして、内容物の注ぎ出すための注出路を、内容物収納部より突き出させ、その注出路を切断して注出口を開口し、詰め替えて繰り返し使用するプラスチックボトルなどの繰り返し使用容器の口に注出路を差し込むことにより、詰め替えやすくしている。
【０００４】
多く使用されている詰め替え用包装袋は、スタンディングパウチで、注出路を上部一隅に、横や斜め上方向に向けて設けてある（例えば、特許文献１）。また、この詰め替え用包装袋では、注ぎだすときに安定して内容物が流れるように注出路から内容物収納部にかけて、外方に向けて凸となる凸エンボスが設けられている。
【０００５】
このような注出路を設けた詰め替え用包装袋では、詰め替え時に傾けて内容物を注ぎだす必要があり、最後まで注ぎだすためには、徐々に詰め替え用包装袋を傾けて、最終的には詰め替え用包装袋をさかさまにして内容物を出し切るようにしている。
【０００６】
また、注出路を包装袋の上部の左右中央に設けた包装袋もある。例えば、上部中央に突出する注出口を設け、注出口３接着部の両側上部に切り口を設け、肩側接着部は、その外端縁が注出口接着部の両側外端縁と直角に形成されると共に、注出口に向かって接着幅が減少するように、内面縁が傾斜して形成され、胴壁の両側の側面接着部は、肩側接着部に向かって接着幅が増加するように、その内面縁が傾斜して形成され、底壁接着部との接合部付近の側面接着部に切り口を設けた詰め替え用包装袋がある（特許文献２）。
【０００７】
このような上部の左右中央に注出路を設けた詰め替え用包装袋では、初めから逆さまにして詰め替えを行うため、詰め替えるのに要する時間が短く、また、徐々に傾けるという手間が掛からず、使い勝手がよい。
【０００８】
しかし、このような上部の左右中央に注出路を設けた詰め替え用包装袋でも、ひっくり返して注ぎだすときに、内容物が寄ってきて膨らんだ部分の下で、表裏のフィルムが接して、流れなくなってしまうことがある。
【０００９】
公知文献を以下に示す。
【先行技術文献】
【特許文献】
【００１０】
【特許文献１】特開２００２−１５４５５９号公報
【特許文献２】特開２００２−３３７８９３号公報
【発明の概要】
【発明が解決しようとする課題】
【００１１】
本発明は上記のような事情に鑑みてなされたもので、徐々に傾けるという手間が掛からず、表裏のフィルムが接して流れなくなってしまうことのない詰め替え用包装袋を提供することを課題としている。
【課題を解決するための手段】
【００１２】
本発明は係る課題に鑑みなされたものであり、請求項１の発明は、注出路が左右中央から上方に向かって突き出した詰め替え用包装袋であって、
胴部と、前記胴部の上端に接続する肩部と、前記肩部の上端に接続し前記注出路を有する口頚部とからなり、
左右のシール部の内縁が、
前記口頚部では略垂直で、前記肩部では前記胴部との屈曲点で内方に向けて傾斜し、更に、１以上の中間の屈曲点で傾斜が前記口頚部の傾斜に近づくように傾斜していることを特徴とする詰め替え用包装袋である。
【００１３】
本発明の請求項２の発明は、前記肩部の中間の屈曲点が複数あり、徐々に前記口頚部の傾斜に近づくように傾斜していることを特徴とする請求項１に記載の詰め替え用包装袋である。
【００１４】
本発明の請求項３の発明は、前記胴部の直後の前記肩部の左右のシール部の内縁の延長線が交わる交点より下方に、次の屈曲点が設けられ、該屈曲点で前記口頚部の傾斜に近づくように傾斜していて、
前記口頚部の手前の前記肩部の左右のシール部の内縁の延長線が交わる交点が、前記口頚部に設けられた注出口より上に位置していることを特徴とする請求項１または２に記載の詰め替え用包装袋である。
【発明の効果】
【００１５】
本発明の詰め替え用包装袋は、徐々に傾けるという手間が掛からず、表裏のフィルムが接して流れなくなってしまうこともない
【図面の簡単な説明】
【００１６】
【図１】本発明の詰め替え用包装袋の一例を模式的に正面で示した説明図である。
【図２】本発明の詰め替え用包装袋の他の例を模式的に正面で示した説明図である。
【図３】本発明の詰め替え用包装袋の更に他の例を模式的に正面で示した説明図である。
【発明を実施するための形態】
【００１７】
以下、本発明を実施するための形態につき説明する。
図１は、本発明の詰め替え用包装袋の一例を模式的に正面で示した説明図である。
【００１８】
本例の詰め替え用包装袋１００は、図１の正面図に示すように、表フィルムと裏フィルムを重ね合わせて、周縁シール部を設けた包装袋で、胴部１と、胴部１の上端に接続する肩部２と、肩部２の上端に接続する口頚部３とからなり、胴部下端には２つ折りした底テープ４が差し込まれて、船底形にシールされたスタンディングパウチである。
【００１９】
口頚部３には内容物を注ぎだすときに通る注出路５が設けられ、左右の幅が胴部１より細くなっていて、詰め替えやすくなっている。そして、口頚部３が、左右中央から上方に向かって突き出している。注出路５の先端寄りの部分には、易切断線６が設けられていて、易切断線６で口頚部３を切断して注出路５を開口させると、内容物を注ぎだす注出口となる。
【００２０】
胴部１と口頚部３のシール部の内縁は、略垂直になっていて、肩部２のシール部の内縁は胴部１との屈曲点ａで内方に向けて傾斜し、更に、中間の屈曲点ｂで傾斜が口頚部３の傾斜に近づくように傾斜し、肩部２と口頚部３との屈曲点ｃで略垂直に立ち上がり、シール部の内縁が略垂直な口頚部３を形成している。
【００２１】
肩部２の屈曲点ａと屈曲点ｂの間の左右のシール部の内縁の延長線が交わる交点Ａより下方に、屈曲点ｂが設けられ、屈曲点ｂで口頚部３の傾斜に近づくように傾斜している。このように交点より下方に屈曲点を設けているので、交点Ａの近辺で表裏のフィルムが接して、内容物が流れなくなることがない。
【００２２】
そして、肩部２の屈曲点ｂと屈曲点ｃの間の左右のシール部の内縁の延長線が交わる交点Ｂは、口頚部３の注出口を形成する易切断線６より上になっているので、易切断線６までの間に、表裏のフィルムが接して、内容物が流れなくなることはない。
【００２３】
このように、肩部２で左右のシール部の内縁の延長線が交わる交点より手前のシール部の内縁の屈曲点を設け、シール部の内縁の延長線が交わる交点で表裏のフィルムが接して、内容物が流れなくなるのを先送りして、最終的に交点が注出口より上方になるように繰り返して、表裏のフィルムが接して内容物が流れなくなることを防止している。
【００２４】
また、詰め替え用包装袋１００は、注出路５が左右中央から上方に向かって突き出しているので、包装袋を徐々に傾けるという手間が掛からず、最初から詰め替え先の繰り返し使用する容器の口に注出路５のある口頚部３を差し込んでひっくり返し、一気に詰め替えることができる。
【００２５】
次に、本発明を実施するための他の形態につき説明する。
図２は、本発明の詰め替え用包装袋の他の例を模式的に正面で示した説明図である。
【００２６】
本例の詰め替え用包装袋２００は、図２の正面図に示すように、表フィルムと裏フィルムを重ね合わせて、周縁シール部を設けた包装袋で、胴部１と、胴部１の上端に接続する肩部２と、肩部２の上端に接続する口頚部３とからなり、胴部下端には２つ折りした底テープ４が差し込まれて、船底形にシールされたスタンディングパウチである。
【００２７】
口頚部３には内容物を注ぎだすときに通る注出路５が設けられ、左右の幅が胴部１より細くなっていて、詰め替えやすくなっている。そして、口頚部３は、左右中央から上方に向かって突き出している。注出路５の先端寄りの部分には、易切断線６が設けられていて、易切断線６で口頚部３を切断して注出路５を開口させると、内容物を注ぎだす注出口となる。
【００２８】
胴部１と口頚部３のシール部の内縁は、略垂直になっていて、肩部２のシール部の内縁は胴部１との屈曲点ｄで内方に向けて傾斜し、更に、最初の中間の屈曲点ｅで傾斜が口頚部３の傾斜に近づくように傾斜し、更に次の中間の屈曲点ｆで傾斜が口頚部３の傾斜に更に近づくように傾斜していて、肩部２と口頚部３との屈曲点ｇで略垂直に立ち上がり、シール部の内縁が略垂直な口頚部３を形成している。
【００２９】
肩部２の屈曲点ｄと屈曲点ｅの間の左右のシール部の内縁の延長線が交わる交点Ｃより下方に、屈曲点ｆが設けられ、屈曲点ｇで口頚部３の傾斜に近づくように傾斜している。このように交点より下方に屈曲点を設けているので、交点Ｃの近辺で表裏のフィルムが接して、内容物が流れなくなることがなく、更に、交点Ｄの近辺で表裏のフィルムが接して、内容物が流れなくなることもない。
【００３０】
そして、肩部２の屈曲点ｆと屈曲点ｇの間の左右のシール部の内縁の延長線が交わる交点Ｅは、口頚部３の注出口を形成する易切断線６より上になっているので、易切断線６までの間に、表裏のフィルムが接して、内容物が流れなくなることはない。
【００３１】
このように、肩部２で左右のシール部の内縁の延長線が交わる交点より手前のシール部の内縁の屈曲点を設け、シール部の内縁の延長線が交わる交点で表裏のフィルムが接して、内容物が流れなくなるのを次々に先送りして、最終的に交点が注出口より上方になるように繰り返して、表裏のフィルムが接して内容物が流れなくなることを防止している。
【００３２】
また、詰め替え用包装袋２００は、注出路５が左右中央から上方に向かって突き出しているので、包装袋を徐々に傾けるという手間が掛からず、最初から詰め替え先の繰り返し使用する容器の口に注出路５のある口頚部３を差し込んでひっくり返し、一気に詰め替えることができる。
【００３３】
次に、本発明を実施するための更に他の形態につき説明する。
図３は、本発明の詰め替え用包装袋の更に他の例を模式的に正面で示した説明図である。
【００３４】
本例の詰め替え用包装袋３００は、図３の正面図に示すように、表フィルムと裏フィルムを重ね合わせて、周縁シール部を設けた包装袋で、胴部１と、胴部１の上端に接続する肩部２と、肩部２の上端に接続する口頚部３とからなり、胴部下端には２つ折りした底テープ４が差し込まれて、船底形にシールされたスタンディングパウチである。
【００３５】
口頚部３には内容物を注ぎだすときに通る注出路５が設けられ、左右の幅が胴部１より細くなっていて、詰め替えやすくなっている。そして、口頚部３が、左右中央から上方に向かって突き出している。注出路５の先端寄りの部分には、易切断線６が設けられていて、易切断線６で口頚部３を切断して注出路５を開口させると、内容物を注ぎだす注出口となる。
【００３６】
口頚部３のシール部の内縁は、略垂直になっていて、胴部１のシール部の内縁は、底テープ４が差し込まれ部分の上で内方にやや傾いている。肩部２のシール部の内縁は胴部１との屈曲点ｈで更に内方に向いて傾斜し、中間の屈曲点ｉで傾斜が口頚部３の傾斜に近づくように傾斜し、肩部２と口頚部３との屈曲点ｊで略垂直に立ち上がり、シール部の内縁が略垂直な口頚部３を形成している。
【００３７】
肩部２の屈曲点ｈと屈曲点ｉの間の左右のシール部の内縁の延長線が交わる交点Ｆより下方に、屈曲点ｊが設けられ、屈曲点ｊで口頚部３の傾斜に近づくように傾斜している。このように交点より下方に屈曲点を設けているので、交点Ｆの近辺で表裏のフィルムが接して、内容物が流れなくなることがない。
【００３８】
そして、肩部２の屈曲点ｉと屈曲点ｊの間の左右のシール部の内縁の延長線が交わる交点Ｇは、口頚部３の注出口を形成する易切断線６より上になっているので、易切断線６までの間に、表裏のフィルムが接して、内容物が流れなくなることはない。
【００３９】
このように、肩部２で左右のシール部の内縁の延長線が交わる交点より手前のシール部の内縁に屈曲点を設け、シール部の内縁の延長線が交わる交点で表裏のフィルムが接して、内容物が流れなくなるのを先送りして、最終的に交点が注出口より上方になるように繰り返して、表裏のフィルムが接して内容物が流れなくなることを防止している。
【００４０】
また、詰め替え用包装袋３００は、注出路５が左右中央から上方に向かって突き出しているので、包装袋を徐々に傾けるという手間が掛からず、最初から詰め替え先の繰り返し
使用する容器の口に注出路５のある口頚部３を差し込んでひっくり返し、一気に詰め替えることができる。
【００４１】
本発明の包装袋に用いる表フィルム、裏フィルム、および、底テープ４は、基材フィルムとシーラントフィルムが積層された積層フィルムからなっている。また、基材フィルムとシーラントフィルムの間に中間フィルムが設けられていても良い。
【００４２】
基材フィルムには、ポリエチレンテレフタレート、ナイロン、ポリプロピレンなどの樹脂の延伸フィルムが好ましく用いられる。また、これらのフィルムにアルミナ、シリカなどの無機酸化物の蒸着層を設けた蒸着フィルムを用いても良い。
【００４３】
基材フィルムの裏面に絵柄印刷層を設けても良い。絵柄印刷層には、ウレタン系インキなどを用いたグラビア印刷、あるいはフレキソ印刷、インクジェット印刷などの印刷方法によって設けることができる。
【００４４】
シーラントフィルムには、低密度ポリエチレンや直鎖状低密度ポリエチレンなどのポリエチレン系フィルムや、ポリプロピレン系フィルムなどの熱可塑性樹脂フィルムが用いられる。
【００４５】
また、中間フィルムを用いる場合、中間フィルムとしては、ナイロンの延伸あるいは未延伸のフィルムを用いることができる。また、ポリエチレンテレフタレート、ナイロン、エチレン−ビニルアルコール共重合体などの延伸フィルムにアルミナ、シリカなどの無機酸化物、あるいはアルミニウムなどの金属の蒸着層を設けた蒸着フィルムを用いることもできる。
【００４６】
また、バリア性の高いメタキシレンジアミン/アジピン酸からなるいわゆるＭＸＤナイロンや、エチレン−ビニルアルコール共重合体などフィルムや、あるいは、アルミニウムなどの金属の箔を中間フィルムに用いても良い。更には、中間フィルムをこれらのフィルムや箔を組み合わせて多層フィルムにしても良い。
【００４７】
これら、基材フィルム、シーラントフィルム、中間フィルムの積層には、２液硬化型ウレタン系接着剤などを用いてドライラミネーション法により積層することができる。また、熱可塑性樹脂を溶融して押し出し、サンドイッチラミネーション法によって積層しても良い。
【符号の説明】
【００４８】
１００、２００、３００・・・詰め替え用包装袋
１・・・胴部
２・・・肩部
３・・・口頚部
４・・・底テープ
５・・・注出路
６・・・易切断線
ａ、ｂ、ｃ、ｄ、ｅ、ｆ、ｇ、ｈ、ｉ、ｊ・・・屈曲点
Ａ、Ｂ、Ｃ、Ｄ、Ｅ、Ｆ、Ｇ・・・交点
【図１】
2016108037.tif 000003
【図２】
2016108037.tif 000004
【図３】
2016108037.tif 000005